(57)【要約】【課題】測定装置を用いて簡単かつ確実に調整を実施することができる画像処理装置及び制御プログラムの提供。【解決手段】測定装置を接続するＩ／Ｆ部を有し、前記測定装置で測定した結果を利用して調整を実施する調整モードに設定可能な画像処理装置において、前記Ｉ／Ｆ部に前記測定装置が接続されたことを検知し、前記測定装置の接続を検知後、動作モードを前記調整モードに変更したり、当該測定装置に測定させるための印刷物の出力を指示したりする制御部、を少なくとも備える。【選択図】図６
2010093574.tif 000002
【特許請求の範囲】
【請求項１】
測定装置を接続するＩ／Ｆ部を有し、前記測定装置で測定した結果を利用して調整を実施する調整モードに設定可能な画像処理装置において、
前記Ｉ／Ｆ部に前記測定装置が接続されたことを検知し、動作モードを前記調整モードに変更する制御部、を少なくとも備えることを特徴とする画像処理装置。
【請求項２】
前記制御部は、前記測定装置の接続を検知後、当該測定装置に測定させるための印刷物の出力を指示することを特徴とする請求項１に記載の画像処理装置。
【請求項３】
前記制御部は、前記測定装置の接続を検知後、ユーザ認証を実行し、許可されたユーザの場合は、動作モードを前記調整モードに変更することを特徴とする請求項１又は２に記載の画像処理装置。
【請求項４】
前記制御部は、前記測定装置の接続を検知した時点で実行中の処理があるかを判断し、実行中の処理が予め定めた特定の処理である場合は、当該実行中の処理が終了後、動作モードを前記調整モードに変更することを特徴とする請求項１乃至３のいずれか一に記載の画像処理装置。
【請求項５】
前記制御部は、前回調整を実施してからの経過時間又は印刷枚数を監視し、所定時間が経過若しくは所定枚数の印刷が実施された場合は、表示部に調整の実施を促す画面を表示させることを特徴とする請求項１乃至４のいずれか一に記載の画像処理装置。
【請求項６】
前記制御部は、前記画面を表示してからの経過時間又は印刷枚数を監視し、所定時間が経過若しくは所定枚数の印刷が実施された場合は、前記調整モード以外の動作モードでの処理を禁止することを特徴とする請求項５に記載の画像処理装置。
【請求項７】
前記制御部は、前回調整を実施してからの経過時間又は印刷枚数を監視し、前記測定装置の接続を検知した時点で、所定時間が経過していない若しくは所定枚数の印刷が実施されていない場合は、前記調整モードへの変更を制限することを特徴とする請求項１乃至４のいずれか一に記載の画像処理装置。
【請求項８】
前記測定装置は、測色計、濃度計、又は、デジタイザであることを特徴とする請求項１乃至７のいずれか一に記載の画像処理装置。
【請求項９】
測定装置を接続するＩ／Ｆ部を有し、前記測定装置で測定した結果を利用して調整を実施する調整モードに設定可能な画像処理装置で動作する制御プログラムであって、
コンピュータを、
前記Ｉ／Ｆ部に前記測定装置が接続されたことを検知し、動作モードを前記調整モードに変更する制御部、として機能させることを特徴とする制御プログラム。
【請求項１０】
前記制御部は、前記測定装置の接続を検知後、当該測定装置に測定させるための印刷物の出力を指示することを特徴とする請求項９に記載の制御プログラム。
【請求項１１】
前記制御部は、前記測定装置の接続を検知後、ユーザ認証を実行し、許可されたユーザの場合は、動作モードを前記調整モードに変更することを特徴とする請求項９又は１０に記載の制御プログラム。
【請求項１２】
前記制御部は、前記測定装置の接続を検知した時点で実行中の処理があるかを判断し、実行中の処理が予め定めた特定の処理である場合は、当該実行中の処理が終了後、動作モードを前記調整モードに変更することを特徴とする請求項９乃至１１のいずれか一に記載の制御プログラム。
【請求項１３】
前記制御部は、前回調整を実施してからの経過時間又は印刷枚数を監視し、所定時間が経過若しくは所定枚数の印刷が実施された場合は、表示部に調整の実施を促す画面を表示させることを特徴とする請求項９乃至１２のいずれか一に記載の制御プログラム。
【請求項１４】
前記制御部は、前記画面を表示してからの経過時間又は印刷枚数を監視し、所定時間が経過若しくは所定枚数の印刷が実施された場合は、前記調整モード以外の動作モードでの処理を禁止することを特徴とする請求項１３に記載の制御プログラム。
【請求項１５】
前記制御部は、前回調整を実施してからの経過時間又は印刷枚数を監視し、前記測定装置の接続を検知した時点で、所定時間が経過していない若しくは所定枚数の印刷が実施されていない場合は、前記調整モードへの変更を制限することを特徴とする請求項９乃至１２のいずれか一に記載の制御プログラム。
【請求項１６】
前記測定装置は、測色計、濃度計、又は、デジタイザであることを特徴とする請求項９乃至１５のいずれか一に記載の制御プログラム。
【発明の詳細な説明】
【技術分野】
【０００１】
本発明は、画像処理装置及び制御プログラムに関し、特に、測定装置が接続される画像処理装置及び当該画像処理装置の動作を制御する制御プログラムに関する。
【背景技術】
【０００２】
カラー印刷機能を備えた複写機や複合機（ＭＦＰ：Multi Function Peripheral）などの画像処理装置が普及している。この画像処理装置では、印刷データに基づいて画像を形成し、帯電された感光体に画像に応じた光を照射して静電潜像を形成し、帯電したトナーを付着させて現像し、そのトナー像を転写ローラや転写ベルトなどの中間転写体を介して用紙に転写する処理を行う。
【０００３】
上記画像処理装置では、印刷データで指示された画像を正確に用紙に転写するためには調整が必要であり、特に、正確な出力が要求されるプロダクションプリントを行う画像処理装置においては、例えば、表裏でのコンマ何ミリの位置合わせや色差を一見では検知できないレベルにて調整するなどの高度な調整が必要である。これらの高度な調整は目視では不可能なため、特定の測定装置（測色計や濃度計、デジタイザなど）を用いて色補正や濃度補正、位置補正など（これらを総称してキャリブレーションと呼ぶ。）を行っている。
【０００４】
上記色補正に関して、例えば、下記特許文献１には、所定のテストチャートを転写材上に形成し、テストチャートを色度検知部によって検知し、テストチャートを測定器によって測定した測定結果を格納し、検知された結果と格納された測定結果とに基づいて、色度検知部の検知誤差を補正する画像形成方法が開示されている。
【０００５】
【特許文献１】特開２００５−２７２７６号公報
【発明の開示】
【発明が解決しようとする課題】
【０００６】
キャリブレーションのための測定は、画像処理装置の精度を直接測るのではなく、一定のパターン（色補正の場合は、Yellow、Magenta、Cyan、Blackの各トナーの色毎に、濃度を変化させたパターン、以下、測定パッチと呼ぶ。）を所定の位置に配置して印刷した用紙（以下、パッチシートと呼ぶ。）を出力し、そのパッチシートを測色計や濃度計、デジタイザなどの測定装置で測定することによってずれを確認し、そのずれをパラメータとして画像処理装置にフィードバックして目標値に近づけていく。
【０００７】
従って、キャリブレーションを行うために、まず、測定者が画像処理装置を操作して、測定装置に対応したパッチシートを出力させ、そのパッチシートを測定装置にセットし、測定装置を操作してパッチシートの測定を行い、その後、画像処理装置を操作してパッチシートの測定結果を入力するといった煩雑な操作が必要になる。また、このような操作を測定者自身が行うため、測定装置に対応していないパッチシートを出力したり、測定結果を誤入力するなどの問題が生じていた。
【０００８】
本発明は上記問題点に鑑みてなされたものであり、その主たる目的は、測定装置を用いて簡単かつ確実に調整を実施することができる画像処理装置及び制御プログラムを提供することにある。
【課題を解決するための手段】
【０００９】
上記目的を達成するため、本発明は、測定装置を接続するＩ／Ｆ部を有し、前記測定装置で測定した結果を利用して調整を実施する調整モードに設定可能な画像処理装置において、前記Ｉ／Ｆ部に前記測定装置が接続されたことを検知し、動作モードを前記調整モードに変更する制御部、を少なくとも備えるものである。
【００１０】
本発明においては、前記制御部は、前記測定装置の接続を検知後、当該測定装置に測定させるための印刷物の出力を指示する構成とすることができる。
【００１１】
また、本発明においては、前記制御部は、前記測定装置の接続を検知後、ユーザ認証を実行し、許可されたユーザの場合は、動作モードを前記調整モードに変更する構成とすることができる。
【００１２】
また、本発明においては、前記制御部は、前記測定装置の接続を検知した時点で実行中の処理があるかを判断し、実行中の処理が予め定めた特定の処理である場合は、当該実行中の処理が終了後、動作モードを前記調整モードに変更する構成とすることができる。
【００１３】
また、本発明においては、前記制御部は、前回調整を実施してからの経過時間又は印刷枚数を監視し、所定時間が経過若しくは所定枚数の印刷が実施された場合は、表示部に調整の実施を促す画面を表示させ、前記画面を表示してからの経過時間又は印刷枚数を監視し、所定時間が経過若しくは所定枚数の印刷が実施された場合は、前記調整モード以外の動作モードでの処理を禁止する構成とすることができる。
【００１４】
また、本発明においては、前記制御部は、前回調整を実施してからの経過時間又は印刷枚数を監視し、前記測定装置の接続を検知した時点で、所定時間が経過していない若しくは所定枚数の印刷が実施されていない場合は、前記調整モードへの変更を制限する構成とすることもできる。
【００１５】
また、本発明においては、前記測定装置は、測色計、濃度計、又は、デジタイザとすることができる。
【００１６】
また、本発明は、測定装置を接続するＩ／Ｆ部を有し、前記測定装置で測定した結果を利用して調整を実施する調整モードに設定可能な画像処理装置で動作する制御プログラムであって、コンピュータを、前記Ｉ／Ｆ部に前記測定装置が接続されたことを検知し、動作モードを前記調整モードに変更する制御部、として機能させるものである。
【発明の効果】
【００１７】
本発明の画像処理装置及び制御プログラムによれば、測定装置を用いて簡単かつ確実に調整を実施することができる。
【００１８】
その理由は、画像処理装置に測定装置を接続すると、画像処理装置では、測定装置の接続を認識し、自装置の動作モードを、接続された測定装置で測定した結果に基づいて調整を実施するための調整モードに変更し、測定装置に測定させるための印刷物を出力する制御を行うからである。
【００１９】
また、測定装置の接続を認識した場合に、ユーザ認証の結果に基づいて調整モードへの移行を制限したり、現在実行中の処理の有無や優先度に応じて調整モードへの移行を制限したり、前回の調整からの時間経過や印刷枚数に基づいて適切なタイミングで調整を実施させるなどの制御を行うからである。
【発明を実施するための最良の形態】
【００２０】
背景技術で示したように、画像処理装置では、色補正や濃度補正、位置補正などの調整が必要であるが、このような調整を実施するためには、ユーザは画像処理装置を操作して、動作モードを調整モードに変更したり、測定装置に測定させるためのパッチシートを出力したり、そのパッチシートを測定装置で測定した結果を入力するといった操作が必要であり、操作が煩雑であると共に誤操作の原因になるという問題があった。
【００２１】
上記操作の内、測定結果の入力操作を容易にする方法として、画像処理装置と測定装置とをＵＳＢ（Universal Serial Bus）などにより接続し、ＵＳＢを介して測定装置で測定した結果を画像処理装置に送信する方法がある。
【００２２】
しかしながら、ＵＳＢを介して測定結果を送信する方法を採用したとしても、画像処理装置の動作モードを調整モードに変更したり、測定装置に対応したパッチシートの出力を指示したり、パッチシートの測定結果の取り込みを指示するといった様々な操作をユーザ自身が行う必要がある。
【００２３】
そこで、本発明では、画像処理装置に、測定装置の接続を検知する接続検知部と、動作モードを調整モードに変更したり、接続を検知した測定装置に対応したパッチシートの出力を指示したり、パッチシートの測定結果を取り込んで調整を実施したりする調整制御部とを設けて、上記問題を解決する。
【実施例１】
【００２４】
上記した本発明の一実施の形態についてさらに詳細に説明すべく、本発明の第１の実施例に係る画像処理装置及び制御プログラムについて、図１乃至図９を参照して説明する。図１は、本実施例のキャリブレーションシステムの構成を模式的に示す図であり、図２は、キャリブレーションシステムの概略動作を示す図である。また、図３は、画像処理装置の構成を示すブロック図、図４は、画像処理装置の制御部の構成を示すブロック図であり、図５は、パッチシートの構成例を示す図である。また、図６乃至図８は、本実施例の画像処理装置の動作を示すフローチャート図であり、図９は画像処理装置に表示される画面の一例を示す図である。
【００２５】
図１及び図２に示すように、本実施例のキャリブレーションシステム１０は、パッチシート５０を出力し、当該パッチシート５０の測定結果に基づいて調整を実施する画像処理装置２０と、パッチシート５０を測定し、測定結果を画像処理装置２０に出力する測定装置３０（ここでは測色計）とを備え、これらは、ＵＳＢ配線や専用配線、ネットワーク配線など（ここではＵＳＢ配線４０）を介して接続されている。以下、各々の装置について詳述する。
【００２６】
［画像処理装置］
図３に示すように、画像処理装置２０は、制御部２１と、記憶部２２と、ＵＳＢＩ／Ｆ部２３と、表示操作部２４と、画像読取部２５と、画像処理部２６と、印刷処理部２７などで構成され、これらはバスを介して接続されている。
【００２７】
制御部２１は、ＣＰＵ（Central Processing Unit）２１ａ、ＲＯＭ（Read Only Memory）２１ｂ、ＲＡＭ（Random Access Memory）２１ｃなどで構成される。ＲＯＭ２１ｂは、画像処理装置全体の動作を制御するためのプログラムや制御に必要なデータを記憶する。ＲＡＭ２１ｃは、ＣＰＵ２１ａによる制御に必要なデータ及び制御動作時に一時記憶が必要なデータ等を記憶する。そして、ＣＰＵ２１ａは、ＲＯＭ２１ｂ、ＲＡＭ２１ｃと協働して画像処理装置全体の動作を制御する。
【００２８】
また、制御部２１は、図４に示すように、接続検知部２８と調整制御部２９としても機能する。接続検知部２８は、ＵＳＢＩ／Ｆ部２３にＵＳＢ接続が可能な測定装置３０が接続されたことを検知する。調整制御部２９は、モード設定部２９ａとパッチシート出力部２９ｂと調整処理部２９ｃなどで構成される。モード設定部２９ａは、接続検知部２８が測定装置３０の接続を検知したら、画像処理装置２０の動作モードを通常モード（例えば、プリントモードなど）から調整モードに変更する。パッチシート出力部２９ｂは、接続検知部２８が検知した測定装置３０に測定を実行させるための印刷物（例えば、図４に示すような各色の測定パッチ５１を配列したパッチシート５０など）を印刷処理部２７に印刷させる。調整処理部２９ｃは、測定装置３０でパッチシート５０を測定した結果を取得し、予め記憶された標準データと比較してキャリブレーションを行い、ずれを解消するための調整テーブルを生成する。
【００２９】
なお、接続検知部２８及び調整制御部２９はハードウェアとして構成してもよいし、コンピュータを、接続検知部２８及び調整制御部２９として機能させる制御プログラムとして構成し、該制御プログラムを制御部２１上で動作させる構成としてもよい。
【００３０】
記憶部２２は、ＨＤＤ（Hard Disk Drive）などで構成される。本実施例では、印刷処理部２７にパッチシート５０を印刷させるための印刷データ（パッチデータと呼ぶ。）、標準データ（例えば、画像の各階調値に対して実際に出力されるべき濃度を示したデータなど）、調整テーブル（例えば、標準データで指定された濃度で印刷されるように、画像処理装置２０の濃度特性に合わせて補正するため各色の濃度オフセット値を記述したテーブル）などを記憶する。
【００３１】
ＵＳＢＩ／Ｆ部２３は、ＵＳＢポートなどで構成され、測定装置３０との通信を可能とする。
【００３２】
表示操作部２４は、ＬＣＤ（Liquid Crystal Display）などの表示部と表示部を覆うタッチパネルなどの操作部から構成され、ＣＰＵ２１ａからの表示信号に従って、アイコンやキーボタンなどをＬＣＤ等に表示すると共に、タッチパネル等から入力される操作信号をＣＰＵ２１ａに出力する。なお、表示操作部２４は一体的に構成してもよいし、表示部と操作部とに分離して構成してもよい。
【００３３】
画像読取部２５は、原稿を走査する光源と、原稿で反射された光を電気信号に変換するＣＣＤ（Charge Coupled Devices）イメージセンサ等の各色を検出するセンサと、電気信号をＡ／Ｄ変換して画像データを生成するＡ／Ｄ変換器等により構成される。
【００３４】
画像処理部２６は、通信ネットワークに接続されたクライアントから取得した印刷データを解析し、ビットマップ形式の画像データを作成する。なお、画像処理部２６の処理をネットワークに接続されるＲＩＰ（Raster Image Processor）コントローラなどで実行する構成としてもよく、その場合は、ＲＩＰコントローラで印刷データを解析し、ビットマップ形式の画像データを作成して画像処理装置２０に送信すればよい。
【００３５】
印刷処理部２７は、画像処理部２６で作成された画像データや記憶部２２に予め記憶されたパッチデータに基づき電子写真プロセスに従って形成された画像を用紙に転写する。具体的には、画像データやパッチデータに基づいてレーザ光を照射して露光する書き込みユニット（図示せず）と、感光体ドラムと現像装置と帯電装置と感光体クリーニング部と１次転写ローラとを備え、イエロー（Ｙ）、マゼンタ（Ｍ）、シアン（Ｃ）、黒（Ｋ）の各色のトナー像を形成する感光体ユニットと、ローラによって回転され、感光体ユニットで形成されたトナー像を用紙に搬送する中間転写体として機能する中間転写ベルトと、中間転写ベルト上に形成されたトナー像を用紙に転写する２次転写ローラと、用紙に転写されたトナー像を定着させる定着装置と、用紙トレイから所望の用紙を搬送する給紙ローラやレジストローラ、ループローラ、反転ローラ、排紙ローラ等の搬送部などにより構成される。
【００３６】
［測定装置（測色計）］
測色計３０は、測色部とＵＳＢＩ／Ｆ部などで構成される（図示せず）。
【００３７】
測色部は、例えばRed、Green、Blueの光の３原色に対応する３種類のセンサを備え、カラー画像の各部に対する３種類のセンサからの出力値（ＲＧＢ値）に基づいて測色し、測色結果を測色値としてのＬ＊ａ＊ｂ＊データに変換する。なお、測色計３０は、刺激値直読方法を採用した色彩計でもよいし、分光測色方法を採用した分光測色計でもよい。
【００３８】
ＵＳＢＩ／Ｆ部は、ＵＳＢポートなどで構成され、画像処理装置２０との通信を可能とする。本実施例では、パッチシート５０を測定した結果（測色計の場合は測色値）を画像処理装置２０に送信する。
【００３９】
なお、ここでは測定装置３０として測色計を例にして説明したが、測定装置３０は、画像処理装置２０の調整を実施するために利用される測定結果を出力可能な機器であればよく、濃度情報を読み取る濃度計や位置情報を読み取るデジタイザなどとしてもよい。
【００４０】
［パッチシート］
図５に示すように、パッチシート５０は、Yellow、Magenta、Cyan、Blackのトナーの色毎（ここではハッチングの種類を変えて色の違いを表現している。）に、その色の濃度が所定の方向（例えば、紙送り方向又はそれに直交する方向）に沿って徐々に変化するように印刷した測定パッチ５１を備える。
【００４１】
ここで、画像処理装置２０と測定装置３０とを用いてキャリブレーションを行う場合、まず、ユーザは画像処理装置２０を操作してパッチシート５０の出力を指示し、印刷処理部２７は、記憶部２２に予め記憶されたパッチデータの内、測定装置３０に適したパッチデータを読み出してパッチシート５０を印刷する。
【００４２】
次に、ユーザは出力されたパッチシート５０を測定装置３０にセットし、測定装置３０はパッチシート５０をスキャンし、各色の測定パッチ５１を測定する。そして、測定結果をユーザが画像処理装置２０に入力又は送信すると、調整処理部２９ｃは入力された測定結果と予め記憶された標準データとを比較することによって調整テーブルを作成する。
【００４３】
しかしながら、通常はこれら一連の動作を手動で行う必要がある。すなわち、測定装置３０を画像処理装置２０に接続し、画像処理装置２０の動作モードを調整モードに変更し、接続した測定装置３０に対応したパッチシート５０の出力を指示し、測定装置３０で測定した結果を画像処理装置２０に取り込むなどの煩雑な作業が必要であり、測定装置３０に対応していないパッチシート５０を出力したり、測定結果を誤入力するなどの誤操作の原因になる。
【００４４】
そこで、本実施例では、測定装置３０の接続を自動認識し、画像処理装置２０で簡単且つ確実に調整を実施できるようにする。すなわち、ユーザは、ただ単に測定装置３０を接続するだけで、画像処理装置２０の制御部２１に設けた機能がその接続を判断して動作モードを調整モードに変更し、接続された測定装置３０に対応するパッチシート５０を出力する。また、パッチシート５０の測定結果を測定装置３０から取得して調整テーブルを作成する。
【００４５】
なお、画像処理装置２０と測定装置３０をＵＳＢで接続する場合は、画像処理装置２０の電源ＯＮの状態で測定装置３０を接続しても検知可能である。この機能はいわゆる活栓挿入やホットプラグと呼ばれ、ＵＳＢコネクタの端子の内、電源ラインの２本の端子が信号線の端子よりも長くなっており、電源ラインが信号線より少し早く接触することによって実現される。また、ＵＳＢ配線５０に代えてネットワーク配線を利用する場合は、いわゆるブロードキャストというネット上に接続している機器を検索する機能などを常時、画像処理装置２０上で動作させることによって接続を検知可能である。
【００４６】
以下、図６及び図７のフローチャート図を参照して、本実施例の画像処理装置２０の動作について詳細に説明する。
【００４７】
まず、図６のステップＳ１０１で、画像処理装置２０の制御部２１（接続検知部２８）は、ＵＳＢＩ／Ｆ部２３を介して測定装置３０が接続されたかを監視し、測定装置３０の接続を検知したら、ステップＳ１０２で、制御部２１（モード設定部２９ａ）は、画像処理装置２０の動作モードを調整モードに変更し、通常の動作モードでの処理を禁止する。
【００４８】
次に、ステップＳ１０３で、制御部２１（パッチシート出力部２９ｂ）は、記憶部２２等に予め記憶されているパッチデータの内、接続された測定装置３０に対応するパッチデータを読み出して印刷処理部２７に転送し、印刷処理部２７は、パッチデータに基づいてパッチシート５０を出力する。
【００４９】
その後、ユーザは出力されたパッチシート５０を接続した測定装置３０にセットし、測定装置３０を操作してパッチシート５０の測定を行う。そして、ＵＳＢ配線４０を介して、その測定結果（例えば、測定パッチ５１の測色値）を画像処理装置２０に送信する。
【００５０】
画像処理装置２０では、図７のステップＳ２０１で、制御部２１は、測定装置３０から送信される測定結果を監視し、測定結果を受信したら、ステップＳ２０２で、制御部２１（調整処理部２９ｃ）は、記憶部２２等に予め記憶されている標準データと受信した測定結果とを比較して補正を行い、ステップＳ２０３で、調整テーブルを作成する。
【００５１】
このように、接続検知部２８が測定装置３０の接続を検知したら、モード設定部２９ａは画像処理装置２０の動作モードを調整モードに変更し、パッチシート出力部２９ｂは測定装置３０に対応するパッチシート５０を自動的に出力するため、ユーザ自身が画像処理装置２０を操作して動作モードを調整モードに変更したり、パッチシート５０の出力を指示する必要がなくなり、操作性を改善し、誤操作を防止することができる。
【００５２】
図６のフローは、画像処理装置２０の電源がＯＮの状態で測定装置３０を接続（いわゆる活栓挿入）する場合であるが、画像処理装置２０の電源がＯＦＦの状態で測定装置３０を接続しておくこともできる。その場合の動作を図８及び図９を参照して説明する。
【００５３】
予め、画像処理装置２０の電源がＯＦＦの状態で測定装置３０を接続した後、画像処理装置２０を立ち上げると、図８のステップＳ３０１で、画像処理装置２０の制御部２１（接続検知部２８）は、ＵＳＢＩ／Ｆ部２３を介して測定装置３０が接続されたかを監視し、測定装置３０の接続を検知したら、ステップＳ３０２で、制御部２１は、動作モードを調整モードに移行可能であるかを判断する。例えば、画像処理装置２０で印刷を実行するためには、印刷処理部２７の各部を動作可能な状態にする（例えば、定着装置を所定の温度に加熱する）ためのウォームアップ時間が必要である。そこで、調整モードに移行可能になるまでの間は、ステップＳ３０３で、制御部２１（モード設定部２９ａ）は、表示操作部２４に、例えば、図９に示すような準備画面６０を表示させ、ユーザにモード変更の準備中であることを通知する。
【００５４】
そして、調整モードに移行可能になったら、ステップＳ３０４で、制御部２１（モード設定部２９ａ）は、画像処理装置２０の動作モードを調整モードに変更し、ステップＳ３０５で、制御部２１（パッチシート出力部２９ｂ）は、接続された測定装置３０に対応するパッチデータを記憶部２２等から読み出して、印刷処理部２７にパッチシート５０を出力させる。
【００５５】
このように、画像処理装置２０の電源がＯＦＦの状態で測定装置３０を接続した場合であっても、調整モードに移行可能になれば自動的に調整モードに変更されるため、ユーザの利便性を向上させることができる。
【実施例２】
【００５６】
次に、本発明の第２の実施例に係る画像処理装置及び制御プログラムについて、図１０及び図１１を参照して説明する。図１０は本実施例の画像処理装置の動作を示すフローチャート図であり、図１１は画像処理装置に表示される画面の一例を示す図である。
【００５７】
前記した第１の実施例では、測定装置３０の接続を検知したら自動的に調整モードに変更する構成としたが、例えば、初心者などが操作している場合に調整モードに変更すると、不適切な調整を実施してしまうことも考えられる。そこで、本実施例では、モード設定部２９ａにユーザ認証機能を持たせて特定のユーザが使用している場合にのみ調整モードに変更可能にする。
【００５８】
その場合の動作を図１０及び図１１を参照して説明する。まず、図１０のステップＳ４０１で、画像処理装置２０の制御部２１（接続検知部２８）は、ＵＳＢＩ／Ｆ部２３を介して測定装置３０が接続されたかを監視し、測定装置３０の接続を検知したら、ステップＳ４０２で、制御部２１（モード設定部２９ａ）は、表示操作部２４に、例えば図１１（ａ）に示すような認証画面６１を表示させ、ユーザＩＤやパスワードの入力を求める。
【００５９】
次に、ステップＳ４０３で、制御部２１（モード設定部２９ａ）は、入力されたユーザＩＤやパスワードと予め記憶部２２等に記憶されたユーザ情報とを比較して認証を行い、許可ユーザの場合は、ステップＳ４０４で、表示操作部２４に、例えば、図１１（ｂ）に示すような許可画面６２を表示させた後、ステップＳ４０６で調整モードに変更し、ステップＳ４０７でパッチシート５０を出力する。一方、許可ユーザではない場合は、ステップＳ４０５で、例えば、図１１（ｃ）に示すような拒否画面６３を表示させて、ユーザに調整が実施できないことを通知する。
【００６０】
このように、特定ユーザにのみ調整モードへの変更を許可することにより、それ以外のユーザが測定装置３０を接続しても調整モードに変更されないため、初心者などによる不適切な調整を未然に防ぐことができる。
【実施例３】
【００６１】
次に、本発明の第３の実施例に係る画像処理装置及び制御プログラムについて、図１２及び図１３を参照して説明する。図１２は本実施例の画像処理装置の動作を示すフローチャート図であり、図１３は画像処理装置に表示される画面の一例を示す図である。
【００６２】
前記した第１及び第２の実施例では、測定装置３０の接続を契機として自動的に調整モードに変更することによって作業の煩雑さを軽減したが、一旦調整モードに変更された場合は、調整のための一連の作業が完了するまで、通常の動作モードでの処理は中断されてしまい、画像処理装置２０を使用している他のユーザの利便性を損なう場合もある。そこで、本実施例では、モード設定部２９ａは、動作モードを調整モードに変更する際に、現在実行されている処理があるか、その処理の優先度は高いかなどを判断して、その結果に応じて調整モードへの移行を制限するようにする。
【００６３】
その場合の動作を図１２及び図１３を参照して説明する。まず、図１２のステップＳ５０１で、画像処理装置２０の制御部２１（接続検知部２８）は、ＵＳＢＩ／Ｆ部２３を介して測定装置３０が接続されたかを監視し、測定装置３０の接続を検知したら、ステップＳ５０２で、制御部２１（モード設定部２９ａ）は、現在実行中の処理があるかを判断する。そして、現在実行中の処理がなければ、ステップＳ５０６で調整モードに変更し、ステップＳ５０７でパッチシート５０を出力する。
【００６４】
一方、現在実行中の処理がある場合は、ステップＳ５０３で、制御部２１（モード設定部２９ａ）は、現在実行中の処理の優先度が高いかを判断する。例えば、通常のプリントを行っている場合は、その処理を中断しても大きな問題は生じないが、特定のユーザ（特定の役職のユーザなど）がプリントを行っている場合や機密文書をプリントしている場合、画像読取部２５で文書の読み取りを行っている場合には、処理が中断するとそのユーザの利便性を著しく損ねる。そこで、予め、優先度の高い処理のリストを作成して記憶部２２等に記憶しておき、制御部２１（モード設定部２９ａ）は、現在実行中の処理が上記リストの処理に該当しない場合は、優先度が低い処理であると判断して、ステップＳ５０４で、表示操作部２４に、例えば、図１３に示すような中断通知画面６４を表示させ、ユーザに現在実行中の処理が中断されたことを通知する。
【００６５】
一方、現在実行中の処理が上記リストの処理に該当する場合は、制御部２１（モード設定部２９ａ）は、優先度が高い処理であると判断して、ステップＳ５０５で、現在実行中の処理の終了を監視し、現在実行中の処理が終了したら、ステップＳ５０６で調整モードに変更し、ステップＳ５０７でパッチシート５０を出力する。
【００６６】
このように、接続検知部２８が測定装置３０の接続を検知しても、優先すべき処理が実行されている場合は調整モードへの移行を制限することにより、画像処理装置２０を使用している他のユーザの利便性を損ねないようにすることができる。
【実施例４】
【００６７】
次に、本発明の第４の実施例に係る画像処理装置及び制御プログラムについて、図１４及び図１５を参照して説明する。図１４は本実施例の画像処理装置の動作を示すフローチャート図であり、図１５は画像処理装置に表示される画面の一例を示す図である。
【００６８】
前記した第１乃至第３の実施例では、測定装置３０の接続を検知したら調整モードに変更する構成としたが、調整作業は品質保持のため一定期間（経過時間、プリント枚数）で行うことが好ましい。そこで、本実施例では、制御部２１は前回調整を行ってからの経過時間やプリント枚数を監視して、適切なタイミングで調整が実施されるようにする。
【００６９】
その場合の動作を図１４及び図１５を参照して説明する。なお、ここでは経過時間に基づいて制御するものとし、この経過時間は、画像処理装置２０に設けた計時手段で計時されるものとする。
【００７０】
まず、図１４のステップＳ６０１で、画像処理装置２０の制御部２１は、前回調整を行ってからの経過時間を監視し、経過時間が予め定めた第１の所定時間になったら、ステップＳ６０２で、表示操作部２４に、例えば、図１５（ａ）に示すような注意喚起画面６５を表示させ、ユーザに調整の実施を促す。なお、図１５（ａ）では注意喚起情報を画面全体に表示する例を示しているが、この注意喚起情報は他の作業実行中にも行うことが好ましいため、例えば、通常動作時の画面上に表示してもよい。
【００７１】
次に、ステップＳ６０３で、制御部２１は、注意喚起画面６５を表示してから（若しくは前回調整を行ってから）の経過時間を引き続き監視し、経過時間が予め定めた第２の所定時間になったら、ステップＳ６０４で、表示操作部２４に、例えば、図１５（ｂ）に示すような警告画面６６を表示させると共に、画像処理装置２０の印刷品質を維持するために、通常の動作モードでの処理を禁止する。
【００７２】
そして、ステップＳ６０５で、制御部２１（接続検知部２８）は、ＵＳＢＩ／Ｆ部２３を介して測定装置３０が接続されたかを監視し、測定装置３０の接続を検知したら、制御部２１（モード設定部２９ａ）は、ステップＳ６０６で調整モードに変更し、ステップＳ６０７でパッチシート５０を出力する。
【００７３】
このように、前回調整を行ってからの経過時間やプリント枚数を監視し、所定の時間が経過若しくは所定枚数のプリントを実行したら、ユーザに調整を促したり、通常の操作モードでの処理を禁止することにより、調整を適切に実施させることができる。
【実施例５】
【００７４】
次に、本発明の第５の実施例に係る画像処理装置及び制御プログラムについて、図１６及び図１７を参照して説明する。図１６は本実施例の画像処理装置の動作を示すフローチャート図であり、図１７は画像処理装置に表示される画面の一例を示す図である。
【００７５】
前記した第４の実施例では、経過時間やプリント枚数に基づいて調整を促す構成としたが、あまりに短い間隔で調整を実施すると、通常の動作モードの処理が遅延したり、パッチシート５０を無駄に出力することになり好ましくない。そこで、本実施例では、制御部２１は前回調整を行ってからの経過時間やプリント枚数を監視して、適切なタイミングで調整が実施されるようにする。
【００７６】
その場合の動作を図１６及び図１７を参照して説明する。なお、本実施例でも経過時間に基づいて制御するものとし、この経過時間は、画像処理装置２０に設けた計時手段で計時されるものとする。
【００７７】
まず、図１６のステップＳ７０１で、画像処理装置２０の制御部２１（接続検知部２８）は、ＵＳＢＩ／Ｆ部２３を介して測定装置３０が接続されたかを監視し、測定装置３０の接続を検知したら、ステップＳ７０２で、制御部２１は、前回調整を行ってからの経過時間を取得し、経過時間が予め定めた所定時間になっていなかったら、ステップＳ７０３で、表示操作部２４に、例えば、図１７に示すような通知画面６７を表示させ、ユーザに調整が不要であることを通知する。
【００７８】
一方、経過時間が所定時間を超えていたら、制御部２１（モード設定部２９ａ）は、ステップＳ７０３で調整モードに変更し、ステップＳ７０４でパッチシート５０を出力する。
【００７９】
このように、前回調整を行ってからの経過時間やプリント枚数を監視し、所定の時間が経過していない若しくは所定枚数のプリントを出力していない状態で測定装置３０を接続した場合に、ユーザに調整が必要ないことを通知することにより、調整を適切に実施させることができる。
【００８０】
以上、各実施例で調整を実施する手法を説明したが、これらの調整の結果は、自動接続を契機として、すべて管理ログとして保存することも可能であり、測定装置３０を特定する情報、測定結果、調整の内容、調整を実行した日時などの情報を記憶部２２に保存したり、また、通信ネットワークで接続される他の機器（例えば、プリントサーバや管理装置など）に転送することも可能である。これにより、調整の偏差の経歴などが一元的に把握できるようになり、メンテナンスの指針や設計変更などの目安として使うことも可能となる。
【００８１】
また、上記各実施例では、画像形成装置２０に測定装置３０を接続する場合を記載したが、本発明は上記実施例に限定されるものではなく、接続する側の装置（測定装置３０に相当する装置）で処理した結果を、接続される側の装置（画像形成装置２０に相当する装置）で利用する任意のシステムに対して同様に適用することができる。
【産業上の利用可能性】
【００８２】
本発明は、測定装置が接続可能な画像処理装置及び当該画像処理装置で動作する制御プログラムに利用可能である。
【図面の簡単な説明】
【００８３】
【図１】本発明の第１の実施例に係るキャリブレーションシステムの構成を示す図である。
【図２】本発明の第１の実施例に係るキャリブレーションシステムの概略動作を示す図である。
【図３】本発明の第１の実施例に係る画像処理装置の構成を示すブロック図である。
【図４】本発明の第１の実施例に係る画像処理装置の制御部の構成を示すブロック図である。
【図５】本発明の第１の実施例に係るパッチシートの構成例を示す図である。
【図６】本発明の第１の実施例に係る画像処理装置の動作（パッチシートの出力する動作）を示すフローチャート図である。
【図７】本発明の第１の実施例に係る画像処理装置の動作（測定結果に基づいて調整する動作）を示すフローチャート図である。
【図８】本発明の第１の実施例に係る画像処理装置の動作の他の例を示すフローチャート図である。
【図９】本発明の第１の実施例に係る画像処理装置の表示部に表示される画面構成の一例を示す図である。
【図１０】本発明の第２の実施例に係る画像処理装置の動作を示すフローチャート図である。
【図１１】本発明の第２の実施例に係る画像処理装置の表示部に表示される画面構成の一例を示す図である。
【図１２】本発明の第３の実施例に係る画像処理装置の動作を示すフローチャート図である。
【図１３】本発明の第３の実施例に係る画像処理装置の表示部に表示される画面構成の一例を示す図である。
【図１４】本発明の第４の実施例に係る画像処理装置の動作を示すフローチャート図である。
【図１５】本発明の第４の実施例に係る画像処理装置の表示部に表示される画面構成の一例を示す図である。
【図１６】本発明の第５の実施例に係る画像処理装置の動作を示すフローチャート図である。
【図１７】本発明の第５の実施例に係る画像処理装置の表示部に表示される画面構成の一例を示す図である。
【符号の説明】
【００８４】
１０  キャリブレーションシステム
２０  画像処理装置
２１  制御部
２１ａ  ＣＰＵ
２１ｂ  ＲＯＭ
２１ｃ  ＲＡＭ
２２  ＨＤＤ
２３  ＵＳＢＩ／Ｆ部
２４  表示操作部
２５  画像読取部
２６  画像処理部
２７  印刷処理部
２８  接続検知部
２９  調整制御部
２９ａ  モード設定部
２９ｂ  パッチシート出力部
２９ｃ  調整処理部
３０  測定装置（測色計）
４０  ＵＳＢ配線
５０  パッチシート
５１  測定パッチ
５２  基準パッチ
６０  準備画面
６１  認証画面
６２  許可画面
６３  拒否画面
６４  中断画面
６５  注意喚起画面
６６  警告画面
６７  通知画面
【図１】
2010093574.tif 000003
【図２】
2010093574.tif 000004
【図３】
2010093574.tif 000005
【図４】
2010093574.tif 000006
【図５】
2010093574.tif 000007
【図６】
2010093574.tif 000008
【図７】
2010093574.tif 000009
【図８】
2010093574.tif 000010
【図９】
2010093574.tif 000011
【図１０】
2010093574.tif 000012
【図１１】
2010093574.tif 000013
【図１２】
2010093574.tif 000014
【図１３】
2010093574.tif 000015
【図１４】
2010093574.tif 000016
【図１５】
2010093574.tif 000017
【図１６】
2010093574.tif 000018
【図１７】
2010093574.tif 000019